(57)【要約】  【課題】  保険提供に関し、旅行滞在地の保険情報通知、加入処理を行う。  【解決手段】  地域情報と当該地域において発生した事件情報と当該事件に対して保険の適用が可能な保険商品情報とを関連付けて記憶した事件データベースと、旅行者を識別する旅行者識別情報と該旅行者の保険加入状況情報と旅行者連絡先情報とを関連付けて記憶した旅行者データベースとを有し、旅行者からの旅行者識別情報と旅行者の現在位置情報とを受信すると、前記受信した現在位置情報に合致する前記事件データベースの地域情報に対応する事件レコードを検索するとともに、前記受信した旅行者識別情報に合致する前記旅行者データベースの旅行者レコードを読み込み、前記事件レコードに対する旅行者が加入済みの保険の有無を判定し、判定結果を前記旅行者レコードの旅行者連絡先に送信する。      【選択図】  図１
2005107987.tif 000002
【特許請求の範囲】
【請求項１】
滞在地に適した保険を提供する保険提供プログラムであって、
地域情報と当該地域において発生した事件情報と当該事件に対して保険の適用が可能な保険商品情報とを関連付けて記憶した事件データベースと、
旅行者を識別する旅行者識別情報と該旅行者の保険加入状況情報と旅行者連絡先情報とを関連付けて記憶した旅行者データベースとを有し、
コンピュータに、
旅行者からの旅行者識別情報と旅行者の現在位置情報とを受信すると、前記受信した現在位置情報に合致する前記事件データベースの地域情報に対応する前記事件情報と前記保険商品情報を検索するとともに、前記受信した旅行者識別情報に合致する前記旅行者データベースの旅行者保険加入状況情報を読み込む保険情報読込手段、
前記保険情報読込手段で読み込んだ前記保険適用情報と前記保険加入状況情報とを比較し、前記事件情報に対する旅行者の保険適用状況を判定する判定手段、
前記判定手段の判定結果を前記旅行者データベースの旅行者識別情報に対応する旅行者連絡先に送信する送信手段
として機能させるためのプログラム。
【請求項２】
滞在地に適した保険を提供する保険提供プログラムであって、
地域情報と当該地域において発生した事件情報と当該事件に対して保険の適用が可能な保険商品情報とを関連付けて記憶した事件データベースと、
旅行者を識別する旅行者識別情報と該旅行者が滞在する予定の滞在地情報と該滞在地に滞在する期間情報と該旅行者の保険加入状況情報と旅行者連絡先情報とを関連付けて記憶した旅行者データベースとを有し、
コンピュータに、
予め定めた時間毎に、前記旅行者データベースの滞在地情報と期間情報とから現在位置情報を割り出し、該現在位置情報に合致する前記事件データベースの地域情報に対応する前記事件情報と前記保険商品情報を検索するとともに、前記受信した旅行者識別情報に合致する前記旅行者データベースの旅行者保険加入状況情報を読み込む保険情報読込手段、
前記保険情報読込手段で読み込んだ前記保険適用情報と前記保険加入状況情報とを比較し、前記事件情報に対する旅行者の保険適用状況を判定する判定手段、
前記判定手段の判定結果を前記旅行者データベースの旅行者識別情報に対応する旅行者連絡先に送信する送信手段
として機能させるためのプログラム。
【請求項３】
前記旅行者データベースの滞在地情報が複数の滞在地情報を有する場合は、前記保険情報読込手段は更に、前記全ての滞在地情報が合致する前記事件データベースの地域情報に対応する前記事件情報と前記保険商品情報を検索する保険情報読込手段として機能させる請求項２に記載のプログラム。
【請求項４】
前記送信手段は更に、前記判定結果で事件に対して保険適用可能なものは加入済みの情報を付与し、保険未加入の事件については、前記事件データベースの保険商品情報を付与し送信する送信手段として機能させる請求項２に記載の保険提供プログラム。
【請求項５】
前記旅行者データベースの保険加入状況情報に更新があった場合は、旅行者データベースの保険加入状況情報を更新する更新手段として機能させる請求項２に記載の保険提供プログラム。
【発明の詳細な説明】
【技術分野】
【０００１】
本発明は、旅行時に適用される保険の加入状況提供に関し、特に旅行滞在地での保険情報の通知、及び加入の処理を行うプログラムに関する。
【背景技術】
【０００２】
従来の保険加入状況提供方式には、保険適用範囲を表示するものはある（例えば特許文献１参照。）。
【０００３】
従来の保険情報表示方法に関しては、旅行者が加入済みの旅行保険の情報を提供するものであり、旅行保険の契約を処理する保険契約処理装置は、契約可能な旅行保険の旅行保険情報を格納する旅行保険データベースと、旅行者が加入済みの保険情報と旅行者の旅行に関する旅行情報とに基づいて、旅行者に提供すべき旅行保険の旅行保険情報を旅行保険データベースから検索し、旅行保険情報を出力するものであった。
【０００４】
また、滞在地周辺のサービス情報を表示するものもある（例えば特許文献２参照。）。滞在地周辺の情報表示方法に関しては、目的地域周辺のサービス店に関して、本日のイベントや明日からのイベント情報を入手し、サービス店の情報を確認するサービス情報提供方法であった。
【特許文献１】特開２００３−１０８４６９号公報
【特許文献２】特開２００２−３２３８２号公報
【発明の開示】
【発明が解決しようとする課題】
【０００５】
旅行の滞在先に関しては、旅行誌で事前に情報を入手するかあるいは現地に関するニュースを見て情報を入手する程度しか把握できず、滞在地で発生している事件を知ることは困難であった。そのため旅行者が保険に入る際の検討材料が無く、旅行者は現地で事件が全く発生していないような保険に加入しているにも関らず現地で事件が多発しているような保険に加入していない、といった問題が発生していた。
【０００６】
また、現地で旅行前には発生していなかった事件が旅行先に滞在中に多発するようになった場合、その事件に適用可能な保険に入っていないと事件に巻き込まれた場合に保険適用されない問題もあった。
【課題を解決するための手段】
【０００７】
本発明は、滞在地に適した保険を提供する保険提供プログラムであって、地域情報と当該地域において発生した事件情報と当該事件に対して保険の適用が可能な保険商品情報とを関連付けて記憶した事件データベースと、旅行者を識別する旅行者識別情報と該旅行者の保険加入状況情報と旅行者連絡先情報とを関連付けて記憶した旅行者データベースとを有し、旅行者からの旅行者識別情報と旅行者の現在位置情報とを受信すると、前記受信した現在位置情報に合致する前記事件データベースの地域情報に対応する前記事件情報と前記保険商品情報を検索するとともに、前記受信した旅行者識別情報に合致する前記旅行者データベースの旅行者保険加入状況情報を読み込み、前記保険情報読込手段で読み込んだ前記保険適用情報と前記保険加入状況情報とを比較し、前記事件情報に対する旅行者の保険適用状況を判定し、前記判定手段の判定結果を前記旅行者データベースの旅行者識別情報に対応する旅行者連絡先に送信することを特徴とする。この構成により、旅行者の現在滞在している地域の事件発生状況を容易に把握することが出来るだけでなく、保険適用に関する過不足についても容易に把握することが可能となる。
【０００８】
更に本発明では、地域情報と当該地域において発生した事件情報と当該事件に対して保険の適用が可能な保険商品情報とを関連付けて記憶した事件データベースと、旅行者を識別する旅行者識別情報と該旅行者が滞在する予定の滞在地情報と該滞在地に滞在する期間情報と該旅行者の保険加入状況情報と旅行者連絡先情報とを関連付けて記憶した旅行者データベースとを有し、予め定めた時間毎に、前記旅行者データベースの滞在地情報と期間情報とから現在位置情報を割り出し、該現在位置情報に合致する前記事件データベースの地域情報に対応する前記事件情報と前記保険商品情報を検索するとともに、前記受信した旅行者識別情報に合致する前記旅行者データベースの旅行者保険加入状況情報を読み込み、前記保険情報読込手段で読み込んだ前記保険適用情報と前記保険加入状況情報とを比較し、前記事件情報に対する旅行者の保険適用状況を判定し、前記判定手段の判定結果を前記旅行者データベースの旅行者識別情報に対応する旅行者連絡先に送信することを特徴とする。この構成により、予め決められた滞在地に行く旅行者にとっては、旅行者の現在位置情報を送信する機能が無くとも、旅行者の現在滞在している地域の事件発生状況を容易に把握することが出来るだけでなく、保険適用に関する過不足についても容易に把握することが可能となる。
【０００９】
更に、前記旅行者データベースの滞在地情報について複数の滞在地情報を有する場合は、前記保険情報読込手段は更に、前記全ての滞在地情報について前記事件データベースの地域情報に対応する前記事件情報と前記保険商品情報を全て検索することを特徴とする。この構成により、複数の滞在地トータルで見た場合にどの保険に入るのが最適であるのかを旅行者が把握し易くなる。
【００１０】
更に前記判定結果で事件に対して保険適用可能なものは加入済みの情報を付与し、保険未加入の事件については、前記事件データベースの保険商品情報を付与し送信することを特徴とする。この構成により旅行者が現地でどのような保険に加入すればよいか容易に判断可能となる。
【００１１】
更に前記旅行者データベースの保険加入状況情報に更新があった場合は、旅行者データベースの保険加入状況情報を更新することを特徴とする。これにより再度事件に対する保険の加入状況が送信される場合には最新の保険加入状況が反映されるため、旅行者の保険状況の把握が容易となる。
【発明の効果】
【００１２】
本発明により、旅行滞在先に関する事件情報と保険適用情報とに基づき、現在加入済みの保険が表示され、更に旅行者は未加入の保険に関し、保険に入るか否かを設定できるようになるため、旅行者は保険加入状況の把握が容易となる。また、滞在地でのどのような事件が発生しているのかが現地に送信されるため、旅行者に事件に遭わないよう注意を促すことも可能となる。
【発明を実施するための最良の形態】
【００１３】
以下に本発明を実施するための最良の形態を示す。
【００１４】
図１は、システム構成図を示す。
【００１５】
本発明のシステム構成は、保険管理サーバ１０、保険管理プログラム１１、旅行者端末２０、保険会社端末３０、旅行会社端末４０、ネットワーク５０、旅行者データベース６０、ツアー滞在地データベース７０、保険商品データベース８０、滞在地事件データベース９０により構成される。
【００１６】
保険管理サーバ１０の保健管理プログラム１１は、保険に関する情報通知処理、保険加入処理等を行うものであり、旅行者データベース６０、ツアー滞在地データベース７０、保険商品データベース８０、及び滞在地事件データベース９０に対して情報の読み込み処理あるいは書き込み処理を実行させ、ネットワーク５０を介して旅行者端末２０、保険会社端末３０、及び旅行会社端末４０に対して情報の送受信処理を行わせる。
【００１７】
旅行者端末２０は、旅行者が滞在地に携行する携帯電話やＰＤＡ等の旅行者毎の識別が可能な端末である。本実施例では、端末毎に識別可能なＩＤを有しているが電話番号や電子メールアドレス等でも可能である。旅行者端末２０は、保険管理サーバ１０から受信した滞在地の事件情報、端末を所持している旅行者の加入保険状況情報、保険加入の選択情報等を表示する。更に保険加入情報が入力されると、保険加入情報を保険管理サーバ１０へネットワーク５０を介して送信する。更に旅行者端末２０には現在位置情報検出機能を持たせてもよい。
【００１８】
保険会社端末３０は、保険会社の端末であり、保険管理サーバ１０から受信した事件情報を表示し、その事件情報について保険商品の適用情報が入力されると、保険管理サーバ１０に保険対応商品情報を送信する。また、保険会社の保険商品の商品情報が入力されるとその商品情報を保険管理サーバ１０にネットワーク５０を介して送信する。更に旅行者からの保険加入情報も受信する。
【００１９】
旅行会社端末４０は、旅行会社の端末であり、ツアー情報、ツアー変更情報等が入力されると保険管理サーバ１０にそれらの情報をネットワーク５０を介して送信する。
【００２０】
ネットワーク５０は、インターネットなどのネットワーク網である。
【００２１】
図２に旅行者データベース６０のデータ構成図を示す。旅行者データベース６０は、旅行者毎に付与される旅行者ＩＤ６１、旅行者の参加するツアーを識別するツアーＩＤ６２、旅行者が現在加入中の保険商品情報および加入期間情報である旅行者加入保険情報６３、旅行者の氏名、旅行者端末を識別する端末ＩＤ等を記憶した旅行者個人情報６４で構成される。
【００２２】
図３にツアー滞在地データベース７０のデータ構成図を示す。ツアー滞在地データベース７０は、ツアーに関する情報を記憶するデータベースであり、旅行会社のツアー商品を識別するツアーＩＤ７１、ツアー毎に旅行者が滞在する予定の滞在地情報７２、旅行者が滞在地情報７２に滞在する日付である日付情報７３、ツアーで予定した滞在地が変更となった場合の滞在地変更情報７４とから構成される。
【００２３】
図４に保険商品データベース８０のデータ構成図を示す。保険商品データベース８０は、保険会社が販売する保険商品に関するデータベースであり、保険商品を識別するための保険商品ＩＤ８１、保険商品の補償対象となる種別８２、保険商品の掛け金８３、保険商品の補償範囲８４、保険商品の補償内容８５、保険商品の広告８６から構成される。
【００２４】
図５に滞在地事件データベース９０のデータ構成図を示す。滞在地事件データベース９０は、滞在地で発生した事件について記憶したデータベースであり、滞在地の場所を示す滞在地情報９１、滞在地で発生した事件の種別を示す種別９２、事件の発生した発生日時９３、事件について対応可能保険商品ＩＤ９４、及び事件の詳細内容９５から構成される。
【００２５】
次に滞在地における旅行者に適した保険情報を表示するための処理について説明する。図６、図７、図８、図９は各データベースへの登録及び更新についての処理を示す。
【００２６】
図６に旅行者データ登録時のフローチャートを示す。
保険管理サーバ１０の保険管理プログラム１１は、旅行者端末２０、保険会社端末３０、旅行会社端末４０から受信した情報について旅行者の新規登録か否かを判定する（Ｓ６１）。
【００２７】
旅行者の新規登録である場合（Ｓ６１：Ｙｅｓ）は、保険管理プログラム１１は旅行者データベース６０に存在しない旅行者ＩＤを新規に作成し、受信したツアー滞在地データベース７０のツアーＩＤ７１に対応するツアーＩＤ６２、保険商品ＩＤ並びに保険加入期間である旅行者加入保険情報６３、及び旅行者個人情報６４を受信する（Ｓ６２）。
【００２８】
旅行者の新規登録でない場合（Ｓ６１：Ｎｏ）、旅行者個人情報６３あるいはツアーＩＤ６２の更新や、後述する旅行者加入保険情報６３の更新があったと判定され、保険管理プログラム１１は、旅行者端末２０、保険会社端末３０、あるいは旅行会社端末４０から受信した旅行者ＩＤ６１に対応するレコードを旅行者データベース６０から呼び出し、レコード呼び出しの要求があった端末へデータを送信する（Ｓ６３）。
【００２９】
レコード呼び出し要求をした端末は、レコード情報を受信し、レコード情報を更新後、修正済みレコードを保険管理サーバ１０へ送信する（Ｓ６４）。
【００３０】
保険管理プログラム１１は新規登録、あるいは修正のあったレコードについて旅行者データベース６０に格納する（Ｓ６５）。
【００３１】
図７にツアー滞在地データベース７０への登録時のフローチャートを示す。
【００３２】
保険管理サーバ１０の保険管理プログラム１１は、旅行会社端末４０からツアー情報を受信し、新規登録か否かを判定する（Ｓ７１）。
【００３３】
ツアー情報の新規登録である場合（Ｓ７１：Ｙｅｓ）は、保険管理プログラム１１はツアー滞在地データベース７０に存在しないツアーＩＤ７１を新規に作成し、受信したツアー滞在地データベース７０のツアーＩＤ７１に対応する
滞在地情報７２と日付情報７３とを受信する（Ｓ７２）。
【００３４】
ツアー情報の新規登録でない場合（Ｓ７１：Ｎｏ）、ツアー情報の日付情報７３あるいは滞在地情報７２の更新があったと判定され、保険管理プログラム１１は、旅行会社端末４０から受信したツアーＩＤ７１に対応するレコードをツアー滞在地データベース７０から呼び出し、レコード呼び出しの要求があった旅行会社端末３０へデータを送信する（Ｓ７３）。
【００３５】
レコード呼び出し要求をした端末は、レコード情報を受信し、レコード情報を更新後、修正済みレコードを保険管理サーバ１０へ送信する（Ｓ７４）。
【００３６】
保険管理プログラム１１は新規登録、あるいは修正のあったレコードについてツアー滞在地データベース７０に格納する（Ｓ７５）。
【００３７】
図８に保険商品データベース８０への登録時のフローチャートを示す。
【００３８】
保険管理サーバ１０の保険管理プログラム１１は、保険会社端末３０から保険商品情報を受信し、新規登録か否かを判定する（Ｓ８１）。
【００３９】
保険商品情報の新規登録である場合（Ｓ８１：Ｙｅｓ）は、保険管理プログラム１１は保険商品データベース８０に存在しない保険商品ＩＤ８１を新規に作成し、保険会社端末３０から受信した種別情報８２、掛け金情報８３、補償範囲情報８４、および補償内容８５を関連付ける（Ｓ８２）。
【００４０】
保険商品の新規登録でない場合（Ｓ８１：Ｎｏ）、保険商品の更新と判定され、保険管理プログラム１１は、受信した保険商品ＩＤ８１に対応するレコードを保険商品データベース８０から読み込み（Ｓ８３）、保険会社端末３０から受信した種別情報８２、掛け金情報８３、補償範囲情報８４、および補償内容８５について更新する（Ｓ８４）。
【００４１】
保険管理プログラム１１は新規登録、あるいは修正のあったレコードについて保険商品データベース８０に格納する（Ｓ８５）。
【００４２】
図９に滞在地事件データベース９０への登録時のフローチャートを示す。
【００４３】
旅行地などで事件が発生した場合、滞在地事件データベース９０に滞在地情報９１、事件種別情報９２、発生日時９３、及び事件の詳細内容９５が入力される。
【００４４】
保険管理プログラム１１は入力された事件情報について滞在地事件データベース９０に新規登録するとともに、各保険会社端末３０に対して事件情報を送信する（Ｓ９１）。
【００４５】
各保険会社端末３０は、事件について、保険商品が適用されるか否かを判定した結果が入力されると保険管理サーバ１０に送信し（Ｓ９２）、保険管理プログラム１１は受信した判定結果に基づき滞在地事件データベース９０の保険対応可能商品ＩＤ９４に登録する。
【００４６】
図１０に保険適用範囲表示処理のフローチャートを示す。
ここでは、旅行者が現在滞在している滞在地の事件情報を旅行者端末２０に送信するまでの処理について示す。
【００４７】
保険管理プログラム１１は、ツアー滞在地データベース７０のツアーＩＤ７１を読み込み（Ｓ１００１）、読み込んだツアーレコードが滞在地変更情報７４を持つか否かを判定する（Ｓ１００２）。
保険管理プログラム１１が読み込んだツアーレコードが滞在地変更情報７４を持つ場合（Ｓ１００２：Ｙｅｓ）は、その変更となった滞在地を旅行者が現在滞在している旅行者滞在地と設定する（Ｓ１００３）。
【００４８】
保険管理プログラム１１は、旅行者滞在地の通知時刻を経過したか否かを判定する（Ｓ１１０４）。通知時刻の決定方法は一定期間毎に通知する方法でもよいし、現地の特定時間になった場合に通知する方式も可能である。例えば現地の朝７時に送信する場合は、保険管理プログラム１１は一定時間毎に、ツアー滞在地データベース７０のツアーＩＤ７１に該当する滞在地情報７２あるいは滞在地変更情報７４を参照し、サーバの現在時刻と滞在地の時差情報とから予め設定した特定時刻を経過したか否かを判定し、経過した場合は経過情報を送信するとともに、本実施例では図示しないが、本日は送付したことを示す送付済情報を付加する。その送付済情報は日付が変わった際に送付済みから未送付へ情報を変更することで、次の日の送信が可能となる。
【００４９】
保険管理プログラム１１が滞在地の通知時刻を経過していないと判定した場合（Ｓ１００４：Ｎｏ）、現在読み込んだツアーについては保険情報を旅行者端末２０に送信する必要が無いので終了し、次のツアーを読み込む等の処理を行う。
【００５０】
保険管理プログラム１１が滞在地の通知時刻を経過したと判定した場合（Ｓ１００４：Ｙｅｓ）は、旅行者端末２０に送信するための保険に関する情報を作成する処理を行う。
【００５１】
保険管理プログラム１１は、ツアー滞在地データベース７０のツアーＩＤ７１に合致するものの中で、滞在地情報７２あるいは滞在地変更情報７４に関し、Ｓ１００４での旅行者滞在地の通知時刻以降の全ての滞在地情報を抽出し（Ｓ１００５）、抽出した全ての滞在地情報に合致する滞在地の事件情報を滞在地事件データベース９０から呼び出す（Ｓ１００６）。
【００５２】
保険管理プログラム１１は、滞在地事件データベース９０から滞在地情報に関する事件情報の有無を判定し（Ｓ１００７）、事件情報が無い場合（Ｓ１００７：Ｎｏ）は、旅行者に通知する事件は無いため、次のツアーについて保険適用範囲表示処理等を行う。事件情報がある場合（Ｓ１００７：Ｙｅｓ）は、旅行者データベース６０でツアーＩＤ６２が合致する全ての旅行者に通知する保険適用範囲情報の作成処理を行う（Ｓ１００８）。この全ての旅行者に対する保険適用範囲情報の作成処理の詳細処理について図１１のフローチャートに基づき説明する。
【００５３】
図１１に旅行者毎の保険適用範囲表示処理のフローチャートを示す。この処理では、旅行者毎に異なる保険情報に基づき各旅行者端末２０毎に保険加入状況を送信する処理について説明する。
【００５４】
保険管理プログラム１１は、ツアー滞在地データベース７０のツアーＩＤ７１の中で日時情報７３が通知時刻以降の滞在地情報７２あるいは滞在地変更情報７４を呼出し（Ｓ１１０１）、呼び出した旅行者滞在地情報の全てについて滞在地事件データベース９０から滞在地情報７３と合致する滞在地情報９１の事件情報レコードを呼出し（Ｓ１１０２）、ツアーＩＤ７１と合致する旅行者データベース６０のツアーＩＤ６２の旅行者レコードを呼び出す（Ｓ１１０３）。
【００５５】
次に保険管理プログラム１１は、事件情報レコード毎に旅行者の加入保険が適用されるか否かを判定する。保険管理プログラム１１は、Ｓ１１０２で呼び出した事件情報レコードの事件の保険対応可能商品ＩＤ９４とＳ１１０３で呼び出した旅行者レコードの旅行者加入保険情報６３とを比較し（Ｓ１１０４）、事件レコードに対し旅行者の加入保険は適用されるか否かを判定する（Ｓ１１０５）。
【００５６】
現在処理対象の事件について、旅行者が現在加入している保険は適用されると判断された場合（Ｓ１１０５：Ｙｅｓ）は、現在処理対象の事件に保険加入済み情報を付与する（Ｓ１１０６）。現在処理対象の事件について、旅行者が現在加入している保険は適用されないと判断された場合（Ｓ１１０５：Ｎｏ）は、現在処理対象の事件に対して保険が未加入である情報、及び事件に対応する保険商品ＩＤ情報を付与する（Ｓ１１０７）。
【００５７】
保険管理プログラム１１は事件レコードについて保険加入あるいは保険未加入を判定後、呼出し対象である全ての事件レコードについて判定が終了したか否かを判定する（Ｓ１１０８）。
全ての事件レコードについて判定が終了していない場合（Ｓ１１０８：Ｎｏ）は、Ｓ１１０４に戻り次の事件レコードについて旅行者の保険対応状況を判定する。全ての事件レコードについて判定が終了した場合（Ｓ１１０８：Ｙｅｓ）は、保険管理プログラム１１は、旅行者端末２０に送信する送信情報を作成し、現在処理対象となっている旅行者ＩＤ６１に合致する旅行者端末20に保険加入状況画面の送信する（Ｓ１１０９）。
【００５８】
図１３に旅行者毎に作成され旅行者端末２０に送信される保険加入状況画面例を示す。図１３では、旅行者個人情報から得られる旅行者の氏名情報と旅行者ＩＤ６１とを表示させるとともに、旅行者が本ツアーで現在滞在している滞在地からツアー最終までの滞在地までの全ての滞在地を表示させる。更に各滞在地にて発生した事件情報を表示させるとともに、旅行者が現在加入している保険が適用される事件についてはチェックが付与された状態で表示される。
更に、適用保険紹介の項目では、現在加入済の保険については詳細情報を選択することにより保険内容の詳細情報にアクセスする項目と、現在未加入の保険については事件に該当する保険商品ＩＤを選択することにより保険商品の詳細情報にアクセスする項目を付与し表示させる。
ツアーＩＤ７１とツアーＩＤ６２とが合致する全ての旅行者の旅行者端末２０に保険加入状況送信済か否かを判定し（Ｓ１１１０）、送信済みではない場合
（Ｓ１１１０：Ｎｏ）は、Ｓ１１０３に戻り、次の旅行者を検索し、送信済みである場合には（Ｓ１１１０：Ｙｅｓ）本処理を終了する。
【００５９】
次に旅行者端末２０に送信された場合に旅行者が新たに保険に加入する場合の保険データ更新処理について説明する
図１２に旅行者の保険加入処理のフローチャートを示す。
保険管理プログラムは旅行者端末２０から保険に加入するための保険商品ＩＤ情報と加入期間情報とからなる加入保険情報を受信すると（Ｓ１２０１）、その加入保険情報と旅行者個人情報６４とを保険会社端末３０に送信し（Ｓ１２０２）、保険会社端末から保険加入完了情報を受信すると（Ｓ１２０３）、保険管理プログラム１１は旅行者データベース６０の旅行者ＩＤ６１に合致する旅行者レコードを呼び出し、旅行者保険加入情報８３の更新を行う（Ｓ１２０４）。
図１４に保険加入申込画面例を示す。図１４は旅行者端末２０で保険加入を行う際に表示される画面例である。図１３の各保険商品にアクセスした場合に表示されるものである。図１３において保険商品を選択すると、保険商品データベース８０の保険商品ＩＤが合致する保険レコードを呼び出し旅行者端末２０に表示する。更に保険加入期間を選択可能とし、ＯＫボタンが選択されると加入処理を行い、キャンセルされると図１３の保険加入状況表示画面に戻る。
【００６０】
本実施例では旅行者の滞在について予めツアーで決められた場所に行く場合の処理としているが、例えば旅行者端末２０に位置情報検出機能を持たせ、得られた現在位置情報を保険管理サーバ１０に送信することで個人旅行の場合であっても滞在地での事件情報を旅行者端末２０に表示させることは可能である。
【００６１】
保険管理サーバ１０、保険会社端末３０、旅行会社端末４０を構成するハードウェアとしては、ＣＰＵと、ＲＯＭと、ＲＡＭと、ＨＤＤ（ハードディスクドライブ）と、ＨＤ（ハードディスク）と、ＦＤＤ（フレキシブルディスクドライブ）と、着脱可能な記録媒体の一例としてのＦＤ（フレキシブルディスク）と、ディスプレイと、Ｉ／Ｆ（インタフェース）と、キーボードと、マウスとを備えている。また、各構成部はバスによってそれぞれ接続されている。
【００６２】
ＣＰＵは、保険管理サーバ１０全体の制御を司る。ＲＯＭは、ブートプログラムなどのプログラムを記憶している。ＲＡＭは、ＣＰＵのワークエリアとして使用される。ＨＤＤは、ＣＰＵの制御にしたがってＨＤに対するデータのリード／ライトを制御する。ＨＤは、ＨＤＤの制御で書き込まれたデータを記憶する。
【００６３】
ＦＤＤは、ＣＰＵの制御にしたがってＦＤに対するデータのリード／ライトを制御する。ＦＤは、ＦＤＤの制御で書き込まれたデータを記憶したり、ＦＤに記録されたデータを情報処理装置へ読み取らせたりする。着脱可能な記録媒体として、ＦＤのほか、ＣＤ−ＲＯＭ（ＣＤ−Ｒ、ＣＤ−ＲＷ）、ＭＯ、ＤＶＤ（Ｄｉｇｉｔａｌ  Ｖｅｒｓａｔｉｌｅ  Ｄｉｓｋ）、メモリーカードなどであってもよい。ディスプレイは、カーソル、アイコンあるいはツールボックスをはじめ、文書、画像、機能情報などのデータに関するウインドウ（ブラウザ）を表示する。たとえば、ＣＲＴ、ＴＦＴ液晶ディスプレイ、プラズマディスプレイなどである。
【００６４】
そして、上記ＲＯＭ、ＲＡＭ、ＨＤ、ＦＤなどに格納された保険管理プログラム１１をＣＰＵが実行することによってその機能を実現する。
【００６５】
また、旅行者データベース６０、ツアー滞在地データベース７０、保険商品データベース８０、滞在地事件データベース９０に格納される各種データおよびデータテーブルの一部は、ワークエリア的な目的で使用されるＲＡＭに必要に応じて生成消去されることもある。
【００６６】
Ｉ／Ｆ（インタフェース）は、通信回線を通じてＬＡＮやインターネットなどのネットワーク５０に接続され、ネットワーク５０を介して、他の端末に接続される。そして、Ｉ／Ｆは、ネットワークと内部とのインタフェースを司り、他の端末からのデータの入出力を制御する。Ｉ／Ｆは、たとえばモデムなどである。また、保険管理サーバ１０が携帯電話機などの利用者端末２０と無線通信をおこなう場合には、Ｉ／Ｆが通信機（無線送受信機）としての機能も備える。
【００６７】
キーボードは、文字、数字、各種指示などの入力のためのキーを備え、データの入力をおこなう。タッチパネル式の入力パッドなどであってもよい。マウスは、カーソルの移動や範囲選択、あるいはウインドウの移動やサイズの変更などをおこなう。ポインティングデバイスとして同様の機能を備えるものであれば、トラックボール、ジョイスティックなどであってもよい。
【００６８】
（付記１）
滞在地に適した保険を提供する保険提供プログラムであって、
地域情報と当該地域において発生した事件情報と当該事件に対して保険の適用が可能な保険商品情報とを関連付けて記憶した事件データベースと、
旅行者を識別する旅行者識別情報と該旅行者の保険加入状況情報と旅行者連絡先情報とを関連付けて記憶した旅行者データベースとを有し、
コンピュータに、
旅行者からの旅行者識別情報と旅行者の現在位置情報とを受信すると、前記受信した現在位置情報に合致する前記事件データベースの地域情報に対応する前記事件情報と前記保険商品情報を検索するとともに、前記受信した旅行者識別情報に合致する前記旅行者データベースの旅行者保険加入状況情報を読み込む保険情報読込手段、
前記保険情報読込手段で読み込んだ前記保険適用情報と前記保険加入状況情報とを比較し、前記事件情報に対する旅行者の保険適用状況を判定する判定手段、
前記判定手段の判定結果を前記旅行者データベースの旅行者識別情報に対応する旅行者連絡先に送信する送信手段
として機能させるためのプログラム。
【００６９】
（付記２）
滞在地に適した保険を提供する保険提供プログラムであって、
地域情報と当該地域において発生した事件情報と当該事件に対して保険の適用が可能な保険商品情報とを関連付けて記憶した事件データベースと、
旅行者を識別する旅行者識別情報と該旅行者が滞在する予定の滞在地情報と該滞在地に滞在する期間情報と該旅行者の保険加入状況情報と旅行者連絡先情報とを関連付けて記憶した旅行者データベースとを有し、
コンピュータに、
予め定めた時間毎に、前記旅行者データベースの滞在地情報と期間情報とから現在位置情報を割り出し、該現在位置情報に合致する前記事件データベースの地域情報に対応する前記事件情報と前記保険商品情報を検索するとともに、前記受信した旅行者識別情報に合致する前記旅行者データベースの旅行者保険加入状況情報を読み込む保険情報読込手段、
前記保険情報読込手段で読み込んだ前記保険適用情報と前記保険加入状況情報とを比較し、前記事件情報に対する旅行者の保険適用状況を判定する判定手段、
前記判定手段の判定結果を前記旅行者データベースの旅行者識別情報に対応する旅行者連絡先に送信する送信手段
として機能させるためのプログラム。
【００７０】
（付記３）
前記旅行者データベースの滞在地情報が複数の滞在地情報を有する場合は、前記保険情報読込手段は更に、前記全ての滞在地情報が合致する前記事件データベースの地域情報に対応する前記事件情報と前記保険商品情報を検索する保険情報読込手段として機能させる付記２に記載のプログラム。
【００７１】
（付記４）
現在時刻判定手段を更に有し、
前記保険情報読込手段は更に、現在時刻以降の滞在地に関する事件情報のみ読み込ませる付記３に記載のプログラム。
【００７２】
（付記５）
前記送信手段は更に、前記判定結果で事件に対して保険適用可能なものは加入済みの情報を付与し、保険未加入の事件については、前記事件データベースの保険商品情報を付与し送信する送信手段として機能させる付記２に記載の保険提供プログラム。
【００７３】
（付記６）
前記旅行者データベースの保険加入状況情報に更新があった場合は、旅行者データベースの保険加入状況情報を更新する更新手段として機能させる付記２に記載の保険提供プログラム。
【００７４】
（付記７）
滞在地に適した保険を提供する保険提供装置であって、
地域情報と当該地域において発生した事件情報と当該事件に対して保険の適用が可能な保険商品情報とを関連付けて記憶した事件データベースと、
旅行者を識別する旅行者識別情報と該旅行者が滞在する予定の滞在地情報と該滞在地に滞在する期間情報と該旅行者の保険加入状況情報と旅行者連絡先情報とを関連付けて記憶した旅行者データベースとし、
予め定めた時間毎に、前記旅行者データベースの滞在地情報と期間情報とから現在位置情報を割り出し、該現在位置情報に合致する前記事件データベースの地域情報に対応する前記事件情報と前記保険商品情報を検索するとともに、前記受信した旅行者識別情報に合致する前記旅行者データベースの旅行者保険加入状況情報を読み込む保険情報読込手段と、
前記保険情報読込手段で読み込んだ前記保険適用情報と前記保険加入状況情報とを比較し、前記事件情報に対する旅行者の保険適用状況を判定する判定手段と、
前記判定手段の判定結果を前記旅行者データベースの旅行者識別情報に対応する旅行者連絡先に送信する送信手段と
からなる保険提供装置。
【００７５】
（付記８）
滞在地に適した保険を提供する保険提供装置であって、
地域情報と当該地域において発生した事件情報と当該事件に対して保険の適用が可能な保険商品情報とを関連付けて記憶した事件データベースと、
旅行者を識別する旅行者識別情報と該旅行者が滞在する予定の滞在地情報と該滞在地に滞在する期間情報と該旅行者の保険加入状況情報と旅行者連絡先情報とを関連付けて記憶した旅行者データベースと、
予め定めた時間毎に、前記旅行者データベースの滞在地情報と期間情報とから現在位置情報を割り出し、該現在位置情報に合致する前記事件データベースの地域情報に対応する前記事件情報と前記保険商品情報を検索するとともに、前記受信した旅行者識別情報に合致する前記旅行者データベースの旅行者保険加入状況情報を読み込む保険情報読込手段と、
前記保険情報読込手段で読み込んだ前記保険適用情報と前記保険加入状況情報とを比較し、前記事件情報に対する旅行者の保険適用状況を判定する判定手段と、
前記判定手段の判定結果を前記旅行者データベースの旅行者識別情報に対応する旅行者連絡先に送信する送信手段と
からなる保険提供装置。
【００７６】
（付記９）
前記旅行者データベースの滞在地情報が複数の滞在地情報を有する場合は、前記保険情報読込手段は更に、前記全ての滞在地情報が合致する前記事件データベースの地域情報に対応する前記事件情報と前記保険商品情報を検索する保険情報読込手段として機能させることを特徴とする付記７に記載の保険提供装置。
【００７７】
（付記１０）
現在時刻判定手段を更に有し、
前記保険情報読込手段は更に、現在時刻以降の滞在地に関する事件情報のみ読み込ませることを特徴とする付記７に記載の保険提供装置。
【００７８】
（付記１１）
前記送信手段は更に、前記判定結果で事件に対して保険適用可能なものは加入済みの情報を付与し、保険未加入の事件については、前記事件データベースの保険商品情報を付与し送信することを特徴とする付記７に記載の保険提供装置。
【００７９】
（付記１２）
前記旅行者データベースの保険加入状況情報に更新があった場合は、旅行者データベースの保険加入状況情報を更新する更新手段を更に有することを特徴とする付記７に記載の保険提供装置。
【００８０】
（付記１３）
滞在地に適した保険を提供する保険提供方法であって、
地域情報と当該地域において発生した事件情報と当該事件に対して保険の適用が可能な保険商品情報とを関連付けて記憶した事件データベースと、
旅行者を識別する旅行者識別情報と該旅行者の保険加入状況情報と旅行者連絡先情報とを関連付けて記憶した旅行者データベースとを有し、
旅行者からの旅行者識別情報と旅行者の現在位置情報とを受信すると、前記受信した現在位置情報に合致する前記事件データベースの地域情報に対応する前記事件情報と前記保険商品情報を検索するとともに、前記受信した旅行者識別情報に合致する前記旅行者データベースの旅行者保険加入状況情報を読み込む保険情報読込ステップと、
前記保険情報読込ステップで読み込んだ前記保険適用情報と前記保険加入状況情報とを比較し、前記事件情報に対する旅行者の保険適用状況を判定する判定ステップと、
前記判定ステップの判定結果を前記旅行者データベースの旅行者識別情報に対応する旅行者連絡先に送信する送信ステップ
により滞在地に適した保険を提供する保険提供方法。
【００８１】
（付記１４）
滞在地に適した保険を提供する保険提供プログラムであって、
地域情報と当該地域において発生した事件情報と当該事件に対して保険の適用が可能な保険商品情報とを関連付けて記憶した事件データベースと、
旅行者を識別する旅行者識別情報と該旅行者が滞在する予定の滞在地情報と該滞在地に滞在する期間情報と該旅行者の保険加入状況情報と旅行者連絡先情報とを関連付けて記憶した旅行者データベースとを有し、
予め定めた時間毎に、前記旅行者データベースの滞在地情報と期間情報とから現在位置情報を割り出し、該現在位置情報に合致する前記事件データベースの地域情報に対応する前記事件情報と前記保険商品情報を検索するとともに、前記受信した旅行者識別情報に合致する前記旅行者データベースの旅行者保険加入状況情報を読み込む保険情報読込ステップと、
前記保険情報読込ステップで読み込んだ前記保険適用情報と前記保険加入状況情報とを比較し、前記事件情報に対する旅行者の保険適用状況を判定する判定ステップと、
前記判定ステップの判定結果を前記旅行者データベースの旅行者識別情報に対応する旅行者連絡先に送信する送信ステップと
により滞在地に適した保険を提供する保険提供方法。
【００８２】
（付記１５）
前記旅行者データベースの滞在地情報が複数の滞在地情報を有する場合は、前記保険情報読込ステップは更に、前記全ての滞在地情報が合致する前記事件データベースの地域情報に対応する前記事件情報と前記保険商品情報を検索することを特徴とする付記１４に記載の滞在地に適した保険を提供する保険提供方法。
【００８３】
（付記１６）
現在時刻判定ステップを更に有し、
前記保険情報読込手段は更に、現在時刻以降の滞在地に関する事件情報のみ読み込ませることを特徴とする付記１４に記載の滞在地に適した保険を提供する保険提供方法。
【００８４】
（付記１７）
前記送信ステップは更に、前記判定結果で事件に対して保険適用可能なものは加入済みの情報を付与し、保険未加入の事件については、前記事件データベースの保険商品情報を付与し送信することを特徴とする付記１４に記載の滞在地に適した保険を提供する保険提供方法。
【００８５】
（付記１８）
前記旅行者データベースの保険加入状況情報に更新があった場合は、旅行者データベースの保険加入状況情報を更新することを特徴とする付記１４に記載の滞在地に適した保険を提供する保険提供方法。
【図面の簡単な説明】
【００８６】
【図１】システム構成図
【図２】旅行者データベース６０のデータ構成図
【図３】ツアー滞在地データベース７０のデータ構成図
【図４】保険商品データベース８０のデータ構成図
【図５】滞在地事件データベース９０のデータ構成図
【図６】旅行者データ登録時のフローチャート
【図７】ツアー滞在地データベース７０への登録時のフローチャート
【図８】保険商品データベース８０への登録時のフローチャート
【図９】滞在地事件データベース９０への登録時のフローチャート
【図１０】保険適用範囲表示処理のフローチャート
【図１１】旅行者毎の保険適用範囲表示処理のフローチャート
【図１２】旅行者の保険加入処理のフローチャート
【図１３】保険加入状況画面例
【図１４】保険加入画面例
【符号の説明】
【００８７】
１０  保険管理サーバ
１１  保険管理プログラム
２０  旅行者端末
３０  保険会社端末
４０  旅行会社端末
５０  ネットワーク
６０  旅行者データベース
７０  ツアー滞在地データベース
８０  保険商品データベース
９０  滞在地事件データベース
【図１】
2005107987.tif 000003
【図２】
2005107987.tif 000004
【図３】
2005107987.tif 000005
【図４】
2005107987.tif 000006
【図５】
2005107987.tif 000007
【図６】
2005107987.tif 000008
【図７】
2005107987.tif 000009
【図８】
2005107987.tif 000010
【図９】
2005107987.tif 000011
【図１０】
2005107987.tif 000012
【図１１】
2005107987.tif 000013
【図１２】
2005107987.tif 000014
【図１３】
2005107987.tif 000015
【図１４】
2005107987.tif 000016